(57)【特許請求の範囲】
【請求項１】
無線通信にて外部へ信号を送信する送信部と、無線通信にて外部から信号を受信する受信部と、第１電力又は該第１電力よりも少ない第２電力を供給する電力供給部とを備える通信装置において、
前記電力供給部が前記第２電力を供給する場合、前記電力供給部による前記送信部への電力供給を停止させる供給停止部と、
前記電力供給部が前記第２電力を供給する場合、前記受信部を所定時間間隔で動作させる動作制御部と、
外部装置へ信号を送信する指示を受け付ける指示受付部と、
該指示受付部が前記指示を受け付けた場合に、前記外部装置への信号の送信が可能であるか否かを判断する判断部とを備え、
前記電力供給部は、前記判断部にて信号の送信が可能でないと判断された場合、前記第２電力を供給するようにしてあることを特徴とする通信装置。
【請求項２】
日時を示す時計と、
前記受信部が外部から信号を受信した場合に前記時計が示す受信時刻が含まれる時間帯を記憶する記憶部とを備え、
前記供給停止部は、前記電力供給部が前記第２電力を供給する場合であって、前記時計が示す時刻が前記記憶部に記憶された時間帯の時刻ではないときに、前記電力供給部による前記受信部への電力供給を停止させるようにしてあることを特徴とする請求項１に記載の通信装置。
【請求項３】
前記記憶部は、前記時計が示す受信時刻が含まれる時間帯と、前記時計が示す受信日とを対応付けて記憶しており、
前記供給停止部は、前記時計が示す時刻が含まれる時間帯に対応する受信日が前記記憶部に記憶されていないときに、前記電力供給部による前記受信部への電力供給を停止させるようにしてあり、
前記記憶部に記憶されている受信日のうちで、前記時計が示す日時よりも所定期間以上前の受信日を削除する削除部を更に備えることを特徴とする請求項２に記載の通信装置。
【請求項４】
前記記憶部に記憶する時間帯に係る時間間隔を外部から受け付ける受付部を備え、
前記記憶部は、前記受付部が受け付けた時間間隔で、前記受信時刻が含まれる時間帯を記憶するようにしてあることを特徴とする請求項２又は３に記載の通信装置。
【請求項５】
前記記憶部に受信日を記憶しておく期間を外部から受け付ける期間受付部を備え、
前記削除部は、前記時計が示す日時よりも、前記期間受付部が受け付けた期間以上前の受信日を削除するようにしてあることを特徴とする請求項３に記載の通信装置。
【請求項６】
前記受信部が外部から所定信号を受信した場合、前記供給停止部が停止させた前記電力供給部による前記第２電力の前記送信部への供給を再開させる供給再開部を備えることを特徴とする請求項１から５までのいずれかひとつに記載の通信装置。
【請求項７】
請求項１から６までのいずれかひとつに記載の通信装置と、
テレビジョン放送を受信する放送受信部と、
該放送受信部が受信したテレビジョン放送に基づいて映像を表示する表示部と
を備えることを特徴とするテレビジョン受信機。
【発明の詳細な説明】
【技術分野】
【０００１】
本発明は、無線通信を行う送信部及び受信部を備え、送信部及び受信部を含む各部に第１電力又は第１電力よりも少ない第２電力の供給が可能な通信装置及びテレビジョン受信機に関する。
【背景技術】
【０００２】
近年、テレビジョン放送及びコンテンツ配信等のデジタル化が進み、音声データ、映像データ、付属データ等がデジタル信号で放送され、またこれらのデータがデジタル信号で記録されている。
また、有線ネットワークを利用してシステムを構築する際の煩雑な配線作業が不要となるという利点から、無線ＬＡＮ（Local Area Network）等の無線ネットワークを利用したシステムが普及している。無線ネットワークには、携帯端末及びノート型ＰＣ（Personal Computer）等の可搬型の機器だけでなく、テレビジョン受信機及び記録再生装置等の据え置き型の機器も接続されつつある。このように各機器を接続してシステム化し、各機器間で情報の送受信及び動作の制御を行うことにより、各機器の利便性を向上させている。
【０００３】
一方で、各機器に対して省エネが求められており、特許文献１では、情報処理装置が、通信相手のソース出力機器の電源状態を検出し、ソース出力機器の電源状態がオフであることを検出した場合、自機の電源をオンからオフに切り換える技術が提案されている。
また、利便性の向上及び省エネの観点から、例えば、ユーザがテレビジョン受信機の電源を切ると、連動してテレビジョン受信機と通信可能な機器の電源が切れるように構成されたシステムもある。
【先行技術文献】
【特許文献】
【０００４】
【特許文献１】特開２００１−２３６１４９号公報
【発明の概要】
【発明が解決しようとする課題】
【０００５】
上述したように、接続される複数の機器において、電源状態がオンである機器が、他の機器の電源状態に基づいて自機の電源状態をオフに切り換えることは可能である。しかしながら、複数の機器が無線接続されているシステムでは、電源状態がオフである機器は、他の機器と通信できないので他の機器の電源状態を検出することはできない。従って、他の機器の電源状態がオンであっても自機の電源状態をオンに切り換えることはできないという問題がある。
【０００６】
本発明は、斯かる事情に鑑みてなされたものであって、その目的とするところは、消費電力を削減できると共に、省電力動作時（電源状態がオフ）においても他の機器からの信号に応じた動作が可能な通信装置及びテレビジョン受信機を提供することにある。
【課題を解決するための手段】
【０００７】
本発明に係る通信装置は、無線通信にて外部へ信号を送信する送信部と、無線通信にて外部から信号を受信する受信部と、第１電力又は該第１電力よりも少ない第２電力を供給する電力供給部とを備える通信装置において、前記電力供給部が前記第２電力を供給する場合、前記電力供給部による前記送信部への電力供給を停止させる供給停止部と、前記電力供給部が前記第２電力を供給する場合、前記受信部を所定時間間隔で動作させる動作制御部と、外部装置へ信号を送信する指示を受け付ける指示受付部と、該指示受付部が前記指示を受け付けた場合に、前記外部装置への信号の送信が可能であるか否かを判断する判断部とを備え、前記電力供給部は、前記判断部にて信号の送信が可能でないと判断された場合、前記第２電力を供給するようにしてあることを特徴とする。
【０００８】
本発明に係る通信装置は、日時を示す時計と、前記受信部が外部から信号を受信した場合に前記時計が示す受信時刻が含まれる時間帯を記憶する記憶部とを備え、前記供給停止部は、前記電力供給部が前記第２電力を供給する場合であって、前記時計が示す時刻が前記記憶部に記憶された時間帯の時刻ではないときに、前記電力供給部による前記受信部への電力供給を停止させるようにしてあることを特徴とする。
【０００９】
本発明に係る通信装置は、前記記憶部は、前記時計が示す受信時刻が含まれる時間帯と、前記時計が示す受信日とを対応付けて記憶しており、前記供給停止部は、前記時計が示す時刻が含まれる時間帯に対応する受信日が前記記憶部に記憶されていないときに、前記電力供給部による前記受信部への電力供給を停止させるようにしてあり、前記記憶部に記憶されている受信日のうちで、前記時計が示す日時よりも所定期間以上前の受信日を削除する削除部を更に備えることを特徴とする。
【００１０】
本発明に係る通信装置は、前記記憶部に記憶する時間帯に係る時間間隔を外部から受け付ける受付部を備え、前記記憶部は、前記受付部が受け付けた時間間隔で、前記受信時刻が含まれる時間帯を記憶するようにしてあることを特徴とする。
【００１１】
本発明に係る通信装置は、前記記憶部に受信日を記憶しておく期間を外部から受け付ける期間受付部を備え、前記削除部は、前記時計が示す日時よりも、前記期間受付部が受け付けた期間以上前の受信日を削除するようにしてあることを特徴とする。
【００１２】
本発明に係る通信装置は、前記受信部が外部から所定信号を受信した場合、前記供給停止部が停止させた前記電力供給部による前記第２電力の前記送信部への供給を再開させる供給再開部を備えることを特徴とする。
【００１４】
本発明に係るテレビジョン受信機は、上述したいずれかの通信装置と、テレビジョン放送を受信する放送受信部と、該放送受信部が受信したテレビジョン放送に基づいて映像を表示する表示部とを備えることを特徴とする。
【００１５】
本発明によれば、無線通信を行う送信部及び受信部を備え、送信部及び受信部を含む各部に第１電力又は第１電力よりも少ない第２電力の供給が可能な通信装置が、第２電力を供給する場合に送信部への電力供給を停止する。通常動作時の第１電力よりも少ない第２電力の供給時とは省電力動作時（スタンバイ状態、スリープ状態）であり、省電力動作時には、送信部への電力供給を行わないことによって送信部の動作を停止させる。これにより、省電力動作時の送信部による消費電力を削減できる。また、通信装置は、第２電力を供給する場合、受信部を所定時間間隔で動作させることにより、省電力動作時には、受信部の動作時間を削減する。これにより、省電力動作時の受信部による消費電力も削減できる。また、通信装置は、外部装置へ信号を送信する指示を受け付けた場合、外部装置への信号の送信が可能であるか否かを判断し、可能でない場合、第１電力の供給から第２電力の供給に切り替える。即ち、外部装置へ信号を送信すべきときに、例えば、外部装置が他の装置との通信を行っている場合のように、外部装置へ信号を送信できなければ、通常動作から省電力動作に切り替えることにより、動作できない状態における消費電力を削減できる。
【００１６】
本発明によれば、通信装置は、受信部が外部から信号を受信した受信時刻が含まれる時間帯を記憶しておき、省電力動作時に、現在時刻が、記憶された時間帯の時刻ではない場合、受信部への電力供給を停止する。即ち、省電力動作時であって、かつて通信が行われていない時間帯であれば、受信部の動作を停止させることにより、省電力動作時の受信部による消費電力を更に削減できる。
【００１７】
本発明によれば、通信装置は、受信部が外部から信号を受信した受信時刻が含まれる時間帯と、受信日とを対応付けて記憶しておき、省電力動作時に、現在時刻が含まれる時間帯に対応する受信日が記憶されていない場合、受信部の動作を停止させる。また、通信装置は、記憶されている受信日のうちで、現在日時よりも所定期間以上前の受信日を削除することにより、現在日時に近い所定期間内での通信履歴に応じて、受信部の動作を制御できる。
【００１８】
本発明によれば、通信装置は、記憶しておく受信時間帯に係る時間間隔を外部から受け付け、受け付けた時間間隔で受信時間帯を記憶する。よって、記憶しておく受信時間帯の時間間隔を任意に設定することが可能となる。
【００１９】
本発明によれば、通信装置は、受信日を記憶しておく期間を外部から受け付け、受け付けた期間以上前の受信日を削除する。よって、受信日を蓄積する期間を任意に設定することが可能となる。
【００２０】
本発明によれば、通信装置は、送信部の動作を停止させているときに、受信部が外部から所定信号を受信した場合、送信部への電力供給を再開させることによって送信部の動作を再開させる。これにより、送信部が動作する必要がある場合に送信部を動作させることが可能となり、利便性が損なわれない。
【００２２】
本発明によれば、上述した通信装置を備えるテレビジョン受信機においても、消費電力を削減できると共に利便性を維持できる。
【発明の効果】
【００２３】
本発明では、省電力動作時に送信部の動作を停止させると共に、受信部の動作時間を削減することにより、省電力動作時の消費電力を削減できる。また、受信部の動作を完全には停止させないことにより、他の機器からの信号の受信は可能であるので、他の機器から受信した信号に応じた動作が可能となる。例えば、電源状態がオフの機器（省電力動作状態の機器）が、他の機器の電源状態を検出し、他の機器の電源状態に基づいて自機の電源状態をオン（通常動作状態）に切り換えることが可能となる。これにより、各機器の利便性を向上できると共に省エネを実現できる。
【図面の簡単な説明】
【００２４】
【図１】本発明に係るテレビジョン受信機の構成を示すブロック図である。
【図２】設定情報格納テーブル及び現在情報格納テーブルの構成例を示す模式図である。
【図３】受信実施日格納テーブル及び動作設定格納テーブルの構成例を示す模式図である。
【図４】本発明に係る通信装置を備える記録再生装置の構成を示すブロック図である。
【図５】テレビジョン受信機が状態を切り替える際に行う処理の手順を示すフローチャートである。
【図６】テレビジョン受信機が状態を切り替える際に行う処理の手順を示すフローチャートである。
【図７】受信実施日格納テーブル及び動作設定格納テーブルの更新処理の手順を示すフローチャートである。
【図８】テレビジョン受信機と通信する記録再生装置が行う処理の手順を示すフローチャートである。
【図９】テレビジョン受信機と通信する記録再生装置が行う処理の手順を示すフローチャートである。
【発明を実施するための形態】
【００２５】
以下に、本発明に係る通信装置及びテレビジョン受信機について、その実施形態を示す図面に基づいて詳述する。本発明に係る通信装置は、テレビジョン受信機、記録再生装置（レコーダ）、再生装置（プレーヤ）、ゲーム機等の各種機器に搭載可能である。本発明に係る通信装置は、無線ＬＡＮ等の無線通信が可能であるので、本発明に係る通信装置が搭載された各機器は無線通信機能を備えることになる。
以下では、本発明に係る通信装置が搭載されたテレビジョン受信機、記録再生装置、再生装置及びゲーム機が無線通信可能に接続されたシステムについて説明するが、再生装置及びゲーム機は記録再生装置と同様の構成によって実現できるので、再生装置及びゲーム機の詳細な説明は省略する。システムを構成するテレビジョン受信機、記録再生装置、再生装置及びゲーム機は、例えば同じ部屋に設置されて使用される。
【００２６】
図１は本発明に係るテレビジョン受信機の構成を示すブロック図である。テレビジョン受信機１は、制御部１０、記憶部１１、操作部１２、表示部１３、チューナ部１４、信号切替部１５及び通信装置２等を備える。通信装置２は、通信制御部２０、電源部２１、送信部用電源部２２、無線受信部２３、無線送信部２４及び信号出力部２５等を有する。
【００２７】
制御部１０は、ＣＰＵ（Central Processing Unit ）又はＭＰＵ（Micro Processor Unit）であり、テレビジョン受信機１が備えるハードウェア各部と接続されている。なお、図１では、制御部１０及びチューナ部１４間の接続状態の図示を省略している。
制御部１０は、記憶部１１に予め格納されている制御プログラムを実行することにより、ハードウェア各部の動作を制御し、テレビジョン受信機１を、本発明に係る通信装置及びテレビジョン受信機として動作させる。また制御部１０は、現在の日時を示す時計を有している。
【００２８】
記憶部１１は、フラッシュメモリ又はハードディスク等の記憶装置であり、制御部１０が実行すべき制御プログラム及び各種データを予め記憶している。また、記憶部１１は、テレビジョン受信機１が省電力動作時に制御部１０が通信装置２の動作を制御する際に用いる各種テーブルを記憶する。具体的には、記憶部１１は、設定情報格納テーブル、現在情報格納テーブル、受信実施日格納テーブル及び動作設定格納テーブル（図２及び図３参照）を記憶する。なお、各テーブルの構成については後述する。
【００２９】
操作部１２は、ユーザがテレビジョン受信機１を操作するために必要な各種の操作キーを有し、ユーザが操作した操作キーに基づく情報を受け付け、受け付けた情報を制御部１０へ送出する。なお、ユーザがテレビジョン受信機１を遠隔から操作するためのリモートコントロール機（以下、リモコンという）から送信されてくる信号を受信する受信部を備え、受信部が受信した信号を制御部１０へ送信するようにしてもよい。
表示部１３は、液晶ディスプレイ、プラズマディスプレイ又は有機ＥＬ（Electro Luminescence）ディスプレイ等であり、制御部１０からの指示に従って各種情報を表示する。
【００３０】
チューナ部１４は、テレビジョン放送の放送信号を受信する放送受信部である。チューナ部１４は、受信したテレビジョン放送の放送信号を信号切替部１５へ出力する。
信号切替部１５には、チューナ部１４が受信した放送信号と、通信装置２が受信した信号とが入力される。信号切替部１５は、制御部１０からの指示に従って、チューナ部１４が受信した放送信号、又は通信装置２が受信した信号を表示部１３へ出力する。表示部１３は、チューナ部１４が受信した放送信号に基づく映像、又は通信装置２が外部装置から受信した信号に基づく映像を表示する。
【００３１】
通信装置２は、無線ＬＡＮモジュール、赤外線通信用モジュール又はBluetooth（登録商標）モジュール等である。通信装置２の通信制御部２０は、通信装置２が備えるハードウェア各部と接続されている。なお、図１では、通信制御部２０及び信号出力部２５間の接続状態の図示を省略している。通信制御部２０は、制御部１０からの指示に従って、通信装置２が備えるハードウェア各部の動作を制御し、通信装置２を、本発明に係る通信装置として動作させる。
【００３２】
無線受信部（受信部）２３は、無線通信にて外部装置からの信号を受信するためのインタフェースである。無線受信部２３は、無線通信可能に構成された外部装置から出力された信号を受信し、信号出力部２５又は通信制御部２０へ出力する。例えば、無線受信部２３は記録再生装置３（図４参照）、再生装置又はゲーム機から出力された信号（音声信号、映像信号、制御信号）を受信しており、受信した音声信号及び映像信号を信号出力部２５へ出力し、受信した制御信号を通信制御部２０へ出力する。
信号出力部２５は、無線受信部２３が外部装置から受信した信号（音声信号及び映像信号）を通信装置２の外部へ出力する。本実施形態のテレビジョン受信機１では、信号出力部２５は、無線受信部２３にて受信した信号を信号切替部１５へ出力する。これにより、無線受信部２３が受信した信号は、信号出力部２５及び信号切替部１５を経由して表示部１３へ出力され、表示部１３で表示される。
【００３３】
無線送信部（送信部）２４は、無線通信にて外部装置へ信号を送信するためのインタフェースであり、通信制御部２０からの指示に従って、無線通信可能に構成された外部装置へ信号を送信する。例えば、無線送信部２４は記録再生装置３（再生装置、ゲーム機）へ制御信号を送信する。
【００３４】
電源部（電力供給部）２１及び送信部用電源部（電力供給部）２２は、電源コンセントへの差し込みが可能な電源プラグ又はバッテリ（共に図示せず）に接続されている。電源部２１は、電源プラグを介して外部のＡＣ電源（電源コンセント）から供給される電力、又はバッテリから供給される電力を、通信装置２が備える無線送信部２４以外の各部に供給する。送信部用電源部２２は、電源プラグを介して外部のＡＣ電源（電源コンセント）から供給される電力、又はバッテリから供給される電力を無線送信部２４にのみ供給する。なお、電源プラグ又はバッテリは、テレビジョン受信機１に設けられていればよく、通信装置２の外部に設けられていてもよい。また、本実施形態では、通信装置２の各部に電力を供給する電力供給部を機能的に電源部２１及び送信部用電源部２２に分離させた構成について説明するが、実体は１つの電源供給部であり、通信制御部２０からの指示に従って電源部２１及び送信部用電源部２２の動作を行う。
【００３５】
本実施形態のテレビジョン受信機１は、通常モード及び省電力モードでの動作が可能である。テレビジョン受信機１が通常動作中は、通信装置２の通信制御部２０は、電源部２１及び送信部用電源部２２のそれぞれに、通常動作時の電力（以下、第１電力という）を供給するように指示する。一方、テレビジョン受信機１が省電力動作中は、通信装置２の通信制御部２０は、電源部２１には省電力動作時の電力（以下、第２電力という）を供給するように指示し、送信部用電源部２２には電力を供給しないように指示する。即ち、テレビジョン受信機１が省電力動作中は、無線送信部２４には電力が供給されず、無線送信部２４の動作が停止する。また、第２電力は第１電力よりも少ない電力であり、これにより、省電力動作中は通常動作中よりも消費電力が少なくなる。省電力動作とは、例えば、テレビジョン受信機１のリモコンの電源ボタンをユーザが操作し、通常動作中のテレビジョン受信機１に対して停止指示した場合の動作であり、所謂スタンバイ状態又はスリープ状態の動作である。
【００３６】
テレビジョン受信機１の通信装置２以外の各部に供給される電力は、電源部２１が通信装置２の各部に供給する電力と同様の電力でよい。即ち、テレビジョン受信機１が通常動作中は、テレビジョン受信機１の各部には第１電力が供給され、テレビジョン受信機１が省電力動作中は、テレビジョン受信機１の各部には第２電力が供給される。
【００３７】
図２は設定情報格納テーブル及び現在情報格納テーブルの構成例を示す模式図、図３は受信実施日格納テーブル及び動作設定格納テーブルの構成例を示す模式図である。
設定情報格納テーブルには、図２Ａに示すように、ユーザによって任意に設定された蓄積時間幅及び蓄積日数が格納される。図２Ａに示す例では、蓄積時間幅として６０分が登録されており、蓄積日数として１５日が登録されている。設定情報格納テーブルの格納内容は、ユーザが操作部（受付部、期間受付部）１２を操作して登録又は変更を指示した場合に、制御部１０によって適宜更新される。設定情報格納テーブルに格納される蓄積時間幅は、受信実施日格納テーブルに過去の受信履歴を蓄積する際に用いる時間幅であり、蓄積日数は、受信実施日格納テーブルに蓄積された過去の受信履歴（受信日）を有効とする期間である。
【００３８】
現在情報格納テーブルには、図２Ｂに示すように、現在実行中の受信処理又は最後に実行した受信処理の情報として、受信実施日、受信開始時刻及び受信終了時刻が格納される。現在情報格納テーブルの受信実施日及び受信開始時刻には、通信装置２が無線通信にて信号又はデータの受信を開始した場合に、制御部１０の時計が示す日付及び時刻が、制御部１０によって格納される。なおこのとき、現在情報格納テーブルに既に各情報が格納されていた場合、制御部１０は、受信実施日及び受信開始時刻を上書きで更新し、受信終了時刻を削除する。また、現在情報格納テーブルの受信終了時刻には、通信装置２が無線通信による受信を終了した場合に、制御部１０の時計が示す時刻が、制御部１０によって格納される。
【００３９】
受信実施日格納テーブルには、図３Ａに示すように、１日の２４時間を所定の時間幅毎に区切った時間帯毎に、過去に受信処理が行われた日（受信実施日）が格納される。受信実施日格納テーブルに格納される各時間帯は、ユーザによって設定され、設定情報格納テーブルに格納されている蓄積時間幅に基づく時間帯である。従って、制御部１０は、ユーザによって設定情報格納テーブルの格納内容が更新（変更）された場合に、時間帯を変更した受信実施日格納テーブルを新たに生成する。
受信実施日格納テーブルの受信実施日には、通信装置２が受信処理を終了し、制御部１０が現在情報格納テーブルに受信終了時刻を格納した場合に、現在情報格納テーブルに格納された受信開始時刻から受信終了時刻までの時間を含む時間帯のそれぞれに対応して、現在情報格納テーブルに格納された受信実施日が、制御部１０によって格納される。なお、図３の例では、受信実施日のうちの月日のみが格納されているが、年月日全てを格納する構成でもよい。また、対応する受信実施日の欄に既に受信実施日が格納されている場合、制御部１０は、上書きで更新する。
【００４０】
また、制御部１０は定期的に、受信実施日格納テーブルに格納されている受信実施日のうちで、制御部１０の時計が示す現在日時から、設定情報格納テーブルに格納されている蓄積日数よりも前の日付があるか否かを確認する。そして、現在日時から、設定情報格納テーブルに格納されている蓄積日数よりも前の受信実施日がある場合に、制御部１０は、この受信実施日を受信実施日格納テーブルから削除する。
【００４１】
動作設定格納テーブルには、図３Ｂに示すように、時間帯毎に、テレビジョン受信機１の動作状態を示す動作設定情報が格納される。動作設定格納テーブルは、受信実施日格納テーブルと同様の構成であり、制御部１０は、受信実施日格納テーブルを新たに生成した場合、同様に時間帯を変更した動作設定格納テーブルも新たに生成する。
動作設定格納テーブルに格納される動作設定情報は、テレビジョン受信機１が省電力動作を行っている場合に、通信装置２の無線受信部２３の動作を停止させるか、間欠駆動させるかを示す情報である。間欠駆動とは、無線受信部２３が所定時間間隔で受信動作を行う状態であり、無線受信部２３が所定時間受信処理を行わず（停止し）、所定時間が経過する都度受信処理を行う動作形態である。なお、無線受信部２３が動作を停止する所定時間は、予め記憶部１１に記憶されていてもよいし、ユーザによって任意に変更可能でもよい。
【００４２】
動作設定格納テーブルの動作設定情報は、制御部１０が、受信実施日格納テーブルの格納内容（受信実施日）を更新した場合に、制御部１０によって更新される。具体的には、制御部１０は、受信実施日格納テーブルに受信実施日を格納（上書き）した場合、動作設定格納テーブルにおいて同一の時間帯に対応する動作設定情報に「間欠駆動」を格納する。また、制御部１０が、受信実施日格納テーブルから受信実施日を削除した場合、動作設定格納テーブルにおいて同一の時間帯に対応する動作設定情報に「停止」を格納する。
【００４３】
テレビジョン受信機１等の通信機器は、外部からの信号を常に受信できる状態にしておく必要があるので、省電力動作中でも無線受信部２３を動作させておく必要がある。しかし、テレビジョン受信機１が省電力動作中は、外部装置から何らかの信号が送信されてくる可能性が低くなるので、無線受信部２３を常に動作させておく必要はない。そこで、本実施形態のテレビジョン受信機１は、省電力動作中に、動作設定格納テーブルに基づいて、無線受信部２３を停止させるか、間欠動作させるかを制御する。
【００４４】
具体的には、テレビジョン受信機１が省電力動作中であって、動作設定格納テーブルに間欠駆動が設定（格納）されている時間帯では、無線受信部２３は間欠駆動を行い、動作設定格納テーブルに停止が設定されている時間帯では、無線受信部２３は動作を停止する。このように、無線受信部２３の動作時間を短縮させることにより、省電力動作時の無線受信部２３による消費電力を削減できる。また、過去に受信処理が行われている時間帯では、無線受信部２３を間欠駆動させ、完全には停止させないことにより、外部装置からの信号の受信が可能であり、受信信号に応じた動作が可能となる。
【００４５】
図４は本発明に係る通信装置を備える記録再生装置３の構成を示すブロック図である。記録再生装置３は、制御部３０、記憶部３１、操作部３２及び通信装置４等を備える。通信装置４は、通信制御部４０、電源部４１、送信部用電源部４２、無線受信部４３、無線送信部４４、信号入力部４５及びＬＥＤ（Light Emitting Diode）４６等を有する。
【００４６】
制御部３０は、ＣＰＵ又はＭＰＵであり、記録再生装置３が備えるハードウェア各部と接続されている。制御部３０は、記憶部３１に予め格納されている制御プログラムを実行することにより、ハードウェア各部の動作を制御し、記録再生装置３を、本発明に係る通信装置として動作させる。また制御部３０は、現在の日時を示す時計を有している。
【００４７】
記憶部３１は、フラッシュメモリ又はハードディスク等の記憶装置であり、制御部３０が実行すべき制御プログラム及び各種データを予め記憶している。また、記憶部３１は、図示しないチューナが受信したテレビジョン放送の放送信号又は通信装置４が外部装置から受信した信号（コンテンツ信号）を記憶する。更に、記憶部３１は、テレビジョン受信機１の記憶部１１と同様に、記録再生装置３が省電力動作時に制御部３０が通信装置４の動作を制御する際に用いる各種テーブルを記憶する。具体的には、記憶部３１は、設定情報格納テーブル、現在情報格納テーブル、受信実施日格納テーブル及び動作設定格納テーブルを記憶する。なお、各テーブルは、テレビジョン受信機１の記憶部１１に格納される各テーブルと同様であるので、説明を省略する。
【００４８】
操作部３２は、ユーザが記録再生装置３を操作するために必要な各種の操作キーを有し、ユーザが操作した操作キーに基づく情報を受け付け、受け付けた情報を制御部３０へ送出する。なお、ユーザが記録再生装置３を遠隔から操作するためのリモートコントロール機（以下、リモコンという）から送信されてくる信号を受信する受信部を備え、受信部が受信した信号を制御部３０へ送信するようにしてもよい。
【００４９】
通信装置４は、無線ＬＡＮモジュール、赤外線通信用モジュール又はBluetoothモジュール等であり、テレビジョン受信機１が有する通信装置２と同様の構成を有する。
通信装置４の通信制御部４０は、通信装置４が備えるハードウェア各部と接続されている。なお、図４では、通信制御部４０及び信号入力部４５間の接続状態の図示を省略している。通信制御部４０は、制御部３０からの指示に従って、通信装置４が備えるハードウェア各部の動作を制御し、通信装置４を、本発明に係る通信装置として動作させる。
【００５０】
無線受信部（受信部）４３は、無線通信にて外部装置からの信号を受信するためのインタフェースである。無線受信部４３は、無線通信可能に構成された外部装置から出力された信号を受信し、通信制御部４０へ出力する。例えば、無線受信部４３はテレビジョン受信機１から出力された制御信号を受信しており、受信した制御信号を通信制御部４０へ出力する。
無線送信部（送信部）４４は、無線通信にて外部装置へ信号を送信するためのインタフェースであり、通信制御部４０からの指示に従って、無線通信可能に構成された外部装置へ信号を送信する。例えば、無線送信部４４はテレビジョン受信機１へ信号（音声信号、映像信号、制御信号）を送信する。
【００５１】
電源部（電力供給部）４１及び送信部用電源部（電力供給部）４２は、テレビジョン受信機１の通信装置２の電源部２１及び送信部用電源部２２と同様の構成である。即ち、記録再生装置３は、通常モード及び省電力モードでの動作が可能である。そして、記録再生装置３が通常動作中は、通信装置４の通信制御部４０は、電源部４１及び送信部用電源部４２のそれぞれに、第１電力（通常動作時の電力）を供給するように指示する。また、記録再生装置３が省電力動作中は、通信装置４の通信制御部４０は、電源部４１には第２電力（省電力動作時の電力）を供給するように指示し、送信部用電源部４２には電力を供給しないように指示する。
記録再生装置３の通信装置４以外の各部に供給される電力は、電源部４１が通信装置４の各部に供給する電力と同様の電力でよい。
【００５２】
信号入力部４５は、記憶部３１に格納されている信号（テレビジョン放送信号、コンテンツ信号等）を読み出し、読み出した信号を無線送信部４４へ出力する。これにより、記憶部３１から読み出された信号は、信号入力部４５及び無線送信部４４を経由し、無線通信にて外部装置（テレビジョン受信機１）へ送信される。
ＬＥＤ４６は、通信制御部４０からの指示に従って点灯、点滅又は消灯する。
【００５３】
上述した構成により、本実施形態の記録再生装置３も、通常モード及び省電力モードでの動作が可能であり、省電力動作中、記憶部３１に格納されている動作設定格納テーブルに基づいて、無線受信部４３を停止させるか、間欠動作させるかを制御する。これにより、記録再生装置３においても、省電力動作時の無線受信部４３による消費電力を削減でき、また、過去に受信処理が行われている時間帯では、無線受信部４３を間欠駆動させることにより、外部装置からの受信信号に応じた動作が可能となる。
なお、上述した構成の通信装置４が搭載された再生装置及びゲーム機も、同様の動作が可能となる。
【００５４】
以下に、上述した構成のテレビジョン受信機１及び記録再生装置３が、通常動作から省電力動作に切り替わる際、及び省電力動作から通常動作に切り替わる際に行う処理について説明する。なお、テレビジョン受信機１及び記録再生装置３において同様の処理が行われるので、以下では、テレビジョン受信機１が行う処理のみを説明する。図５及び図６はテレビジョン受信機１が状態を切り替える際に行う処理の手順を示すフローチャートである。
【００５５】
通常動作を行っているテレビジョン受信機１の制御部１０は、省電力動作を開始するか否かを判断しており（Ｓ１）、省電力動作を開始しないと判断した場合（Ｓ１：ＮＯ）、省電力動作を開始すると判断するまで通常動作を継続する。例えば、制御部１０は、テレビジョン受信機１のリモコンの電源ボタンをユーザが操作することによって停止指示された場合に、省電力動作を開始すると判断する。また、制御部１０は、テレビジョン受信機１が無線通信可能に接続されている機器のリモコンの電源ボタンをユーザが操作することによって、この機器が停止指示された場合に、省電力動作を開始すると判断する。なお、テレビジョン受信機１、記録再生装置３、再生装置及びゲーム機は、ユーザによって停止指示された場合、動作停止を示す停止コマンドを無線通信可能な他の機器へ送信するように構成されている。従って、テレビジョン受信機１の制御部１０は、外部機器から受信する停止コマンドによって、テレビジョン受信機１が通信可能な機器の動作停止を把握できる。
【００５６】
省電力動作を開始すると判断した場合（Ｓ１：ＹＥＳ）、テレビジョン受信機１の制御部１０は、通信装置２の通信制御部２０に対して省電力動作の開始を指示する。そして、通信装置２の通信制御部２０は、電源部２１に対して第２電力の供給を指示し、通信装置２の無線送信部２４以外の各部には第２電力の供給が開始される（Ｓ２）。また、通信制御部（供給停止部）２０は、送信部用電源部２２に対して電力供給の停止を指示し、無線送信部２４への電力供給が停止され、無線送信部２４が動作を停止する（Ｓ３）。なお、テレビジョン受信機１の通信装置２以外の各部には第２電力が供給される。このように、テレビジョン受信機１が省電力動作中に、通常動作中よりも少ない電力を供給すると共に無線送信部２４の動作を停止させることにより、省電力動作時における消費電力を削減できる。
【００５７】
テレビジョン受信機１の制御部１０は、自身の時計によって現在時刻を取得し（Ｓ４）、記憶部１１に記憶されている動作設定格納テーブルに基づいて、現在時刻が、無線受信部２３を間欠駆動させる時間帯であるか否かを判断する（Ｓ５）。具体的には、制御部１０は、動作設定格納テーブルにおいて、現在時刻が含まれる時間帯に対応する動作設定情報として「間欠駆動」が格納されているか「停止」が格納されているかを判断する。「間欠駆動」が格納されている場合、即ち、現在時刻が、無線受信部２３を間欠駆動させる時間帯である場合（Ｓ５：ＹＥＳ）、制御部１０は、通信制御部２０に対して、無線受信部２３を間欠駆動させるように指示する。そして、通信装置２の通信制御部（動作制御部）２０は、無線受信部２３に対して間欠駆動の開始を指示し、無線受信部２３が間欠駆動を開始する（Ｓ６）。
【００５８】
一方、「停止」が格納されている場合、即ち、現在時刻が間欠駆動させる時間帯でない場合（Ｓ５：ＮＯ）、制御部１０は、通信制御部２０に対して、無線受信部２３を停止させるように指示する。そして、通信装置２の通信制御部２０は、無線受信部２３に対して動作停止を指示し、無線受信部２３は動作を停止する（Ｓ７）。
このように、テレビジョン受信機１が省電力動作中に、無線受信部２３を間欠駆動又は停止させることにより、省電力動作時における消費電力を更に削減できる。また、無線受信部２３を間欠駆動させた場合には、無線受信部２３が完全には停止しないので、外部装置からの信号の受信は可能となり、受信信号に応じた処理が可能となる。
【００５９】
テレビジョン受信機１の制御部１０は、間欠駆動中の無線受信部２３にて外部装置からの何らかの信号を受信したか否かを判断する（Ｓ８）。何らかの信号を受信したと判断した場合（Ｓ８：ＹＥＳ）、具体的には、通信装置２の無線受信部２３が受信した信号に対応する信号を通信制御部２０から受信した場合、制御部１０は、通信装置２による通信を開始するか否かを判断する（Ｓ９）。例えば、受信した信号が、通信可能な他の機器からの無線通信要求コマンド（所定信号）である場合、制御部１０は、通信を開始すると判断する。また通信装置２による通信とは、通信装置２の無線送信部２４による送信処理及び無線受信部２３による受信処理である。
【００６０】
通信を開始しないと判断した場合（Ｓ９：ＮＯ）、例えば、受信した信号が、通信可能な他の機器からの無線通信要求コマンドでない場合、又は受信した信号が、自身のテレビジョン受信機１宛の無線通信要求コマンドでない場合、制御部１０は、受信した信号に応じた処理を行った後、ステップＳ４の処理に戻る。
通信を開始すると判断した場合（Ｓ９：ＹＥＳ）、例えば、受信した信号が無線通信要求コマンドである場合、制御部１０は、通信制御部２０に対して、無線受信部２３を間欠駆動させないように指示する。そして、通信装置２の通信制御部２０は、無線受信部２３に対して間欠駆動の終了を指示し、無線受信部２３が間欠駆動を終了する（Ｓ１０）。これにより、無線受信部２３はいつでも信号を受信できるようになる。
【００６１】
次に制御部１０は、通信装置２の通信制御部２０に対して無線送信部２４の動作開始を指示し、通信制御部（供給再開部）２０は、送信部用電源部２２に対して電力供給の再開を指示する。これにより、無線送信部２４への電力供給が再開され、無線送信部２４が動作を開始し（Ｓ１１）、無線送信部２４による信号の送信が可能となる。なお、このとき、無線送信部２４以外の各部には第２電力が供給された状態のままである。このように、テレビジョン受信機１が省電力動作中であっても、無線送信部２４を動作させる必要がある場合には無線送信部２４の動作を再開させることができる。よって、テレビジョン受信機１が省電力動作中であっても無線受信部２３及び無線送信部２４を用いて外部装置と通信することができるので、利便性が損なわれない。
【００６２】
ステップＳ８で無線受信部２３が何の信号も受信していないと判断した場合（Ｓ８：ＮＯ）、ステップＳ７の処理後、又はステップＳ１１の処理後、テレビジョン受信機１の制御部１０は、通常動作を開始するか否かを判断する（Ｓ１２）。例えば、制御部１０は、ステップＳ１１で動作を開始した無線送信部２４が外部装置から起動要求コマンドを受信した場合、通常動作を開始すると判断する。また、制御部１０は、テレビジョン受信機１のリモコンの電源ボタンをユーザが操作することによって起動指示された場合に、通常動作を開始すると判断する。更に、制御部１０は、テレビジョン受信機１が無線通信可能な機器のリモコンの電源ボタンをユーザが操作することによって、この機器が起動指示された場合に、通常動作を開始すると判断してもよい。
【００６３】
通常動作を開始しないと判断した場合（Ｓ１２：ＮＯ）、制御部１０は、ステップＳ４に処理を戻し、ステップＳ４〜Ｓ１２の処理を繰り返す。通常動作を開始すると判断した場合（Ｓ１２：ＹＥＳ）、制御部１０は、通信装置２の通信制御部２０に対して通常動作の開始を指示する。そして、通信装置２の通信制御部２０は、電源部２１に対して第１電力の供給を指示し、通信装置２の無線送信部２４以外の各部には第１電力の供給が開始される（Ｓ１３）。なお、無線送信部２４への電力供給が停止されたままである場合、通信制御部（供給再開部）２０は、送信部用電源部２２に対して電力供給の再開を指示し、無線送信部２４の動作を再開させる。また、テレビジョン受信機１の通信装置２以外の各部にも第１電力が供給される。これにより、テレビジョン受信機１は起動し、通常動作を開始する。
【００６４】
テレビジョン受信機１の制御部１０は、ステップＳ１に処理を戻し、例えばユーザによって主電源が切られるまで、上述した処理を繰り返す。これにより、テレビジョン受信機１は通常動作と省電力動作とを適宜切り替えて行うことができ、停止中は（リモコンの電源ボタンが操作されて停止指示された場合）省電力動作を行うことにより消費電力を削減できる。また、テレビジョン受信機１が省電力動作中は、通信装置２において、無線送信部２４の動作を停止させると共に無線受信部２３を間欠駆動させることによって、消費電力を更に削減できる。なお、テレビジョン受信機１が省電力動作中であっても、必要に応じて無線送信部２４を動作させることにより、テレビジョン受信機１の利便性も確保できる。なお、記録再生装置３においても、通信装置４がテレビジョン受信機１の通信装置２と同様の動作を行うので、同様の効果が得られる。
【００６５】
上述した処理では、テレビジョン受信機１のリモコンの電源ボタンをユーザが操作することによってテレビジョン受信機１の動作停止が指示された場合、又は、テレビジョン受信機１が通信可能な機器のリモコンの電源ボタンをユーザが操作することによって各機器の動作停止が指示された場合に、テレビジョン受信機１が省電力動作を開始していた。このほかに、例えば、テレビジョン受信機１が通信可能な機器の主電源がユーザによって切られた場合に、テレビジョン受信機１が省電力動作を開始するようにしてもよい。
【００６６】
次に、受信実施日格納テーブル及び動作設定格納テーブルの更新処理について説明する。なお、テレビジョン受信機１及び記録再生装置３において同様の処理が行われるので、以下では、テレビジョン受信機１が行う処理のみを説明する。図７は受信実施日格納テーブル及び動作設定格納テーブルの更新処理の手順を示すフローチャートである。
【００６７】
通常動作を行っているテレビジョン受信機１の制御部１０は、自身の時計が示す現在時刻に基づいて、日付が変わったか否かを判断する（Ｓ２１）。日付が変わったと判断した場合（Ｓ２１：ＹＥＳ）、制御部１０は、受信実施日格納テーブルに格納してある受信実施日のうちで、設定情報格納テーブルに格納されている蓄積日数（所定期間）が経過した受信実施日があるか否かを判断する（Ｓ２２）。具体的には、制御部１０は、現在の日付から、設定情報格納テーブルに格納されている蓄積日数前の日付を算出し、算出した日付よりも前の受信実施日が受信実施日格納テーブルに格納してあるか否かを判断する。
【００６８】
所定期間が経過した受信実施日があると判断した場合（Ｓ２２：ＹＥＳ）、制御部（削除部）１０は、この受信実施日を受信実施日格納テーブルから削除する（Ｓ２３）。そして、制御部１０は、動作設定格納テーブルにおいて、受信実施日格納テーブルから受信実施日を削除した時間帯に対応する動作設定情報に「停止」を格納し、動作設定格納テーブルを更新する（Ｓ２４）。なお、制御部１０は、所定期間が経過した全ての受信実施日を受信実施日格納テーブルから削除し、受信実施日を削除した全ての時間帯に対応する動作設定情報を全て「停止」に更新する。
【００６９】
ステップＳ２１で日付が変わっていないと判断した場合（Ｓ２１：ＮＯ）、ステップＳ２２で所定期間が経過した受信実施日がないと判断した場合（Ｓ２２：ＮＯ）、又はステップＳ２４の処理後、制御部１０は、通信装置２の無線受信部２３が受信処理を開始したか否かを判断する（Ｓ２５）。受信処理を開始していないと判断した場合（Ｓ２５：ＮＯ）、制御部１０は、ステップＳ２１に処理を戻す。受信処理を開始したと判断した場合（Ｓ２５：ＹＥＳ）、制御部１０は、このときに時計が示す日時（現在日時）のうちの日付を現在情報格納テーブルの受信実施日に格納し、時刻を現在情報格納テーブルの受信開始時刻に格納し、現在情報格納テーブルを更新する（Ｓ２６）。なお、現在情報格納テーブルに受信終了時刻が既に格納されている場合、制御部１０は、受信終了時刻を削除しておく。
【００７０】
次に制御部１０は、通信装置２の無線受信部２３が受信処理を終了したか否かを判断し（Ｓ２７）、受信処理を終了していないと判断した場合（Ｓ２７：ＮＯ）、終了するまで待機する。受信処理を終了したと判断した場合（Ｓ２７：ＹＥＳ）、制御部１０は、このときに時計が示す日時（現在日時）のうちの時刻を現在情報格納テーブルの受信終了時刻に格納し、現在情報格納テーブルを更新する（Ｓ２８）。そして、制御部１０は、受信実施日格納テーブルにおいて、現在情報格納テーブルに格納した受信開始時刻から受信終了時刻までを含む全ての時間帯に対応する受信実施日に、現在情報格納テーブルに格納した受信実施日を格納する（Ｓ２９）。なお、既に受信実施日が格納されている時間帯については、受信実施日を上書きで更新する。
制御部１０は、動作設定格納テーブルにおいて、受信実施日格納テーブルに受信実施日を格納した時間帯に対応する動作設定情報に「間欠駆動」を格納し、動作設定格納テーブルを更新し（Ｓ３０）、処理を終了する。
【００７１】
上述した処理により、設定情報格納テーブルに格納されている蓄積日数の期間内に実際に受信処理が行われた時間帯を受信実施日格納テーブルにて把握することができる。よって、所定期間内に受信処理が行われていない時間帯では受信処理が行われる確率が低いので、この時間帯にテレビジョン受信機１が省電力動作中であれば無線受信部２３を停止させる。これにより、省電力動作時の消費電力を更に削減できる。また、所定期間内に受信処理が行われた時間帯では受信処理が行われる確率が高いので、この時間帯にテレビジョン受信機１が省電力動作中であれば無線受信部２３を間欠駆動させる。この場合、無線受信部２３の動作時間を短縮することにより無線受信部２３による消費電力を削減できると共に、無線受信部２３を完全には停止させないことにより、外部装置からの信号の受信失敗を抑制できる。更に、所定期間外の受信実施日を受信実施日格納テーブルから削除することにより、現在に近い期間での受信履歴に基づいた制御が可能となる。
【００７２】
上述の処理では、日付が変わった場合、又は受信処理が終了した場合に、受信実施日格納テーブル及び動作設定格納テーブルが更新されていた。このほかに、例えば、テレビジョン受信機１のリモコンの電源ボタンをユーザが操作することによって起動指示された場合、又は、テレビジョン受信機１の主電源がユーザによって入れられた場合に、受信実施日格納テーブル及び動作設定格納テーブルを更新するようにしてもよい。
【００７３】
本実施形態では、受信実施日格納テーブルを更新する都度、動作設定格納テーブルが更新され、動作設定格納テーブルに基づいて、無線受信部２３を間欠駆動させるか停止させるかが決定される構成である。このほかに、受信実施日格納テーブルのみを作成及び更新し、受信実施日格納テーブル（受信実施日の欄）に受信実施日が格納されているか否かに基づいて、無線受信部２３を間欠駆動させるか停止させるかを決定するようにしてもよい。具体的には、テレビジョン受信機１が省電力動作中で、受信実施日格納テーブルに受信実施日が格納されている時間帯であれば、無線受信部２３を間欠駆動させ、受信実施日が格納されていない時間帯であれば、無線受信部２３を停止させるようにしてもよい。
【００７４】
次に、例えば、テレビジョン受信機１及び再生装置が無線通信中に、ユーザが記録再生装置３を操作して記録再生装置３に記憶してある信号（音声信号及び映像信号）をテレビジョン受信機１へ送信する指示が行われた場合に、記録再生装置３が行う処理について説明する。
【００７５】
本実施形態のテレビジョン受信機１は、記録再生装置３だけでなく、再生装置及びゲーム機とも無線通信可能である。しかし、テレビジョン受信機１で再生させるためにテレビジョン受信機１へ信号（音声信号及び映像信号）を送信できる装置は１つだけである。従って、ユーザが記録再生装置３を操作してテレビジョン受信機１での再生を指示した場合に、テレビジョン受信機１が他の機器（再生装置又はゲーム機）と通信中であれば、記録再生装置３はテレビジョン受信機１と通信できない。そこで、本実施形態では、このような場合、記録再生装置３は省電力動作に切り替えると共に、テレビジョン受信機１と他の機器との通信が終了するか否かを監視し、終了した場合に、テレビジョン受信機１との通信を開始する。これにより、テレビジョン受信機１と通信できない記録再生装置３を省電力動作させることによって消費電力を削減できると共に、テレビジョン受信機１による通信における無線電波のチャンネル利用効率も向上できる。
【００７６】
図８及び図９はテレビジョン受信機１と通信する記録再生装置３が行う処理の手順を示すフローチャートである。なお、テレビジョン受信機１と通信可能な再生装置及びゲーム機においても同様の処理が行われる。
通常動作を行っている記録再生装置３の制御部３０は、通信装置４の無線受信部４３にて外部装置から無線通信要求コマンドを受信したか否かを判断している（Ｓ４１）。なお、テレビジョン受信機１、記録再生装置３、再生装置及びゲーム機の各機器は、他の機器との無線通信を開始したい場合、相手機器（送信先機器）のＩＤと共に無線通信要求コマンドを無線通信にて送信する。なお、送信元機器のＩＤとして自身の機器のＩＤも送信する。自身の機器及び相手機器のＩＤは予め取得して記憶部３１に記憶されている。
【００７７】
記録再生装置３の制御部３０は、無線通信要求コマンドを受信していないと判断した場合（Ｓ４１：ＮＯ）、受信するまで通常動作を行う。無線通信要求コマンドを受信したと判断した場合（Ｓ４１：ＹＥＳ）、制御部３０は、受信した無線通信要求コマンドが自身の機器宛のコマンドであるか否かを判断する（Ｓ４２）。具体的には、制御部３０は、無線通信要求コマンドと共に受信した送信先機器のＩＤが自身の機器のＩＤであるか否かを判断する。自身の機器宛の無線通信要求コマンドであると判断した場合（Ｓ４２：ＹＥＳ）、制御部３０は、受信した送信元機器のＩＤに基づいて、送信元の機器に対して応答し、送信元の機器との無線通信を開始する（Ｓ４３）。この場合、制御部３０は、無線通信を終了したか否かを判断しており（Ｓ４４）、終了していないと判断した場合（Ｓ４４：ＮＯ）、終了するまで無線通信を継続する。終了したと判断した場合（Ｓ４４：ＹＥＳ）、例えば、通信装置４（無線送信部４４）から無線通信終了コマンドを送信した場合、又は相手機器から無線通信終了コマンドを受信した場合、制御部３０は無線通信を終了し（Ｓ４５）、処理を終了する。
【００７８】
ステップＳ４２で自身の機器宛の無線通信要求コマンドではないと判断した場合（Ｓ４２：ＮＯ）、制御部３０は、受信した送信先機器のＩＤ及び送信元機器のＩＤに基づいて、送信元機器と送信先機器とが通信中であることを把握する（Ｓ４６）。
記録再生装置３の制御部（指示受付部）３０は、記憶部３１に記憶してある信号（音声信号及び映像信号）をテレビジョン受信機１で再生させる処理を、操作部３２を介してユーザから指示されたか否かを判断する（Ｓ４７）。
【００７９】
再生指示されていないと判断した場合（Ｓ４７：ＮＯ）、制御部３０は、通信装置４の無線受信部４３にて外部装置から無線通信終了コマンドを受信したか否かを判断する（Ｓ４８）。記録再生装置３の制御部３０は、無線通信終了コマンドを受信していないと判断した場合（Ｓ４８：ＮＯ）、ステップＳ４７に処理を戻し、再生指示されるまで、又は無線通信終了コマンドを受信するまで、ステップＳ４７，Ｓ４８の処理を繰り返す。
【００８０】
無線通信終了コマンドを受信したと判断した場合（Ｓ４８：ＹＥＳ）、制御部３０は、受信した無線通信終了コマンドに基づいて、他の機器の通信終了を把握し（Ｓ４９）、処理を終了する。具体的には、ステップＳ４６で把握した送信元機器と送信先機器との通信が終了したことを把握する。
【００８１】
ステップＳ４７で再生指示されたと判断した場合（Ｓ４７：ＹＥＳ）、制御部（判断部）３０は、ステップＳ４６で把握した通信中の機器に基づいて、テレビジョン受信機１が使用可能であるか否かを判断する（Ｓ５０）。即ち、通信中の機器がテレビジョン受信機１ではない場合、制御部３０は、テレビジョン受信機１は使用可能であると判断する。テレビジョン受信機１が使用可能である場合（Ｓ５０：ＹＥＳ）、制御部３０は、ステップＳ４３に処理を移行し、テレビジョン受信機１との無線通信を開始する（Ｓ４３）。ここでは、制御部３０は、無線通信要求コマンド、送信元機器のＩＤとして自身の機器のＩＤ、及び送信先機器のＩＤとしてテレビジョン受信機１のＩＤを、通信装置４による無線通信にてテレビジョン受信機１へ送信する。そして、テレビジョン受信機１から通信許可の応答があった場合、再生対象の信号（音声信号及び映像信号）のテレビジョン受信機１への送信を開始する。
【００８２】
制御部３０は、テレビジョン受信機１との通信を終了したか否かを判断しており（Ｓ４４）、終了していないと判断した場合（Ｓ４４：ＮＯ）、終了するまで通信を継続し、終了したと判断した場合（Ｓ４４：ＹＥＳ）、通信を終了し（Ｓ４５）、処理を終了する。
【００８３】
テレビジョン受信機１が使用可能でない場合（Ｓ５０：ＮＯ）、制御部３０は、例えば通信装置４のＬＥＤ４６を点灯又は点滅させることによって、テレビジョン受信機１を使用できない旨をユーザに通知する（Ｓ５１）。なお、記録再生装置３が表示部を有する場合、テレビジョン受信機１を使用できない旨を示すメッセージを表示部に表示して通知してもよい。
【００８４】
そして、記録再生装置３の制御部３０は、通信装置４の通信制御部４０に対して省電力動作の開始を指示する。これにより、通信装置４の通信制御部４０は、電源部４１に対して第２電力の供給を指示し、通信装置４の無線送信部４４以外の各部には第２電力の供給が開始される（Ｓ５２）。また、通信制御部４０は、送信部用電源部４２に対して電力供給の停止を指示し、無線送信部４４への電力供給が停止され、無線送信部４４が動作を停止する（Ｓ５３）。なお、このとき、記録再生装置３の通信装置４以外の各部には第２電力が供給される。
記録再生装置３の制御部３０は、通信装置４の通信制御部４０に対して、無線受信部４３を間欠駆動させるように指示する。これにより、通信制御部４０は、無線受信部２３に対して間欠駆動の開始を指示し、無線受信部２３が間欠駆動を開始する（Ｓ５４）。このように、テレビジョン受信機１を使用できない機器（記録再生装置３）を省電力動作に切り替え、無線送信部４４を停止させると共に無線受信部４３を間欠駆動させることにより、消費電力を削減できる。
【００８５】
制御部３０は、通信装置４の無線受信部４３にて外部装置から無線通信終了コマンドを受信したか否かを判断しており（Ｓ５５）、無線通信終了コマンドを受信していないと判断した場合（Ｓ５５：ＮＯ）、受信するまで省電力動作を行いつつ待機する。無線通信終了コマンドを受信したと判断した場合（Ｓ５５：ＹＥＳ）、制御部３０は、受信した無線通信終了コマンドに基づいて、他の機器の通信終了を把握する（Ｓ５６）。そして、制御部３０は、テレビジョン受信機１が使用可能であるか否かを判断する（Ｓ５７）。ここでは、通信を終了した機器がテレビジョン受信機１であった場合、テレビジョン受信機１は使用可能であると判断し、通信を終了した機器がテレビジョン受信機１でなかった場合、テレビジョン受信機１は使用可能でないと判断する。
【００８６】
テレビジョン受信機１が使用可能でないと判断した場合（Ｓ５７：ＮＯ）、制御部３０は、ステップＳ５５に処理を戻す。テレビジョン受信機１が使用可能であると判断した場合（Ｓ５７：ＹＥＳ）、制御部３０は、通信装置４の通信制御部４０に対して通常動作の開始を指示し、ステップＳ４３に処理を移行し、テレビジョン受信機１との無線通信を開始する（Ｓ４３）。これにより、テレビジョン受信機１が使用可能となった場合に、記録再生装置３が通常動作に戻り、テレビジョン受信機１との無線通信を開始し、記録再生装置３に記録されている再生対象の信号（音声信号及び映像信号）のテレビジョン受信機１による再生処理を開始する。制御部３０は、テレビジョン受信機１との通信を終了したか否かを判断しており（Ｓ４４）、終了していないと判断した場合（Ｓ４４：ＮＯ）、終了するまで通信を継続し、終了したと判断した場合（Ｓ４４：ＹＥＳ）、通信を終了し（Ｓ４５）、処理を終了する。
【００８７】
上述したように、記録再生装置３が再生指示された場合に、テレビジョン受信機１が他の機器と通信中であり、テレビジョン受信機１と通信できないときは、記録再生装置３を省電力動作させる。これにより、テレビジョン受信機１と通信できない記録再生装置３による消費電力を削減できると共に、実行中の通信による無線帯域の利用効率を向上できる。また、テレビジョン受信機１と通信できるようになった場合に、記録再生装置３を通常動作に戻し、テレビジョン受信機１による再生処理を開始することにより、ユーザによって指示された再生処理を、実行可能となった後に実行させることができる。
【００８８】
上述の実施形態では、テレビジョン受信機１の記憶部１１に動作設定格納テーブルが格納されており、通信装置２の無線受信部２３を間欠駆動させるか否かを制御部１０が判断していた。このほかに、通信装置２内部の記憶部（図示せず）に動作設定格納テーブルを格納しておき、無線受信部２３を間欠駆動させるか否かを通信制御部２０が判断するようにしてもよい。また、この場合、通信装置２の通信制御部２０が、受信実施日格納テーブル及び動作設定格納テーブルの作成及び更新を行えばよい。
【００８９】
上述の実施形態では、通信装置２（無線受信部２３）による過去の受信履歴を受信実施日格納テーブルに蓄積しておき、蓄積した受信履歴（受信時間帯）に基づいて、テレビジョン受信機１が省電力動作中に通信装置２の無線受信部２３を間欠駆動させるか停止させるかを決定する構成であった。このほかに、例えば、通信装置２（無線受信部２３及び／又は無線送信部２４）による過去の受信履歴及び／又は送信履歴の実施時間帯に基づいて、通信装置２の無線受信部２３を間欠駆動させるか停止させるかを決定するようにしてもよい。
【００９０】
上述の実施形態では、テレビジョン受信機１が省電力動作中であれば、動作設定格納テーブルに基づいて、通信装置２の無線受信部２３を間欠駆動又は停止させる構成であった。このほかに、テレビジョン受信機１が省電力動作中であれば、通信装置２の無線受信部２３を間欠駆動させるようにしてもよい。この場合、無線受信部２３は完全には停止しないので、外部からの信号の受信が可能となる。
また、テレビジョン受信機１が省電力動作中に、動作設定格納テーブルに基づく制御（通信装置２の無線受信部２３を間欠駆動させるか停止させるかの制御）を行うか否かを、ユーザによって選択（設定）可能としてもよい。
【００９１】
上述の実施形態では、テレビジョン受信機１の通信装置２はＬＥＤを有しない構成であったが、テレビジョン受信機１の通信装置２もＬＥＤを備えてもよい。そして、例えば、テレビジョン受信機１が他の機器との通信を開始できなかった場合にＬＥＤを点灯又は点滅させることにより、テレビジョン受信機１が他の装置と通信できない状態であることをユーザに通知するようにしてもよい。
【００９２】
以上、本発明の好適な実施形態について具体的に説明したが、各構成及び動作等は適宜変更可能であって、上述の実施形態に限定されることはない。
【符号の説明】
【００９３】
１  テレビジョン受信機
２，４  通信装置
１０  制御部（時計、削除部）
１１  記憶部
１２  操作部（受付部、期間受付部）
１３  表示部
１４  チューナ部（放送受信部）
２０，４０  通信制御部（供給停止部、動作制御部、供給再開部）
２１，４１  電源部（電力供給部）
２２，４２  送信部用電源部（電力供給部）
２３，４３  無線受信部（受信部）
２４，４４  無線送信部（送信部）
３０  制御部（指示受付部、判断部）
【図１】
0006008557.tif 000002
【図２】
0006008557.tif 000003
【図３】
0006008557.tif 000004
【図４】
0006008557.tif 000005
【図５】
0006008557.tif 000006
【図６】
0006008557.tif 000007
【図７】
0006008557.tif 000008
【図８】
0006008557.tif 000009
【図９】
0006008557.tif 000010